【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
プロセッサで実行可能なプログラムコードを格納するメモリと、プロセッサと、を含むシステムであって、
前記プロセッサで実行できるプログラムコードを前記プロセッサが実行して、前記システムに、
生体組織に第１の超音波パルスを付与して、前記生体組織内で第１方向にせん断波を生成し、
第２方向で前記生体組織内に集束超音波パルスを送信し、
前記集束超音波パルスに反応して生成された、前記生体組織からの第１の一つ以上の超音波信号を受信し、
前記受信した第１の一つ以上の超音波信号に基づいて、前記生体組織内でせん断波を検出し、
前記検出したせん断波に対応する少なくとも一つのせん断波伝播特性の第１セットを特定し、
生体組織に第２の超音波パルスを付与して、前記生体組織内で第３方向にせん断波を生成し、
第４方向で前記生体組織内に第２の集束超音波パルスを送信し、
前記第２の集束超音波パルスに反応して生成された、前記生体組織からの第２の一つ以上の超音波信号を受信し、
前記受信した第２の一つ以上の超音波信号に基づいて、前記生体組織内の前記第２せん断波を検出し、
前記検出した第２せん断波に対応する少なくとも一つのせん断波伝播特性の第２セットを特定し、
前記第１セット及び第２セットの少なくとも一つのせん断波伝播特性に基づいて、少なくとも一つのせん断波伝播特定の第３セットを特定し、
前記少なくとも一つのせん断波伝播特性の第３セットを表示すること、
を行わせる、システム。
【請求項２】
前記せん断波の検出は、一つ以上の時間位置において受信した前記超音波信号の間の相関、絶対差の和（ＳＡＤ）、二乗差の和（ＳＳＤ）、絶対三乗差の和（ＳＣＤ）、又は絶対べき乗差の和（ＳＰＤ）を計算することを含む、請求項１に記載のシステム。
【請求項３】
前記少なくとも一つの伝播特性の第１セット又は第２セットの特定は、一つ以上の場合（instance）において検出した前記せん断波の間の相関、絶対差の和（ＳＡＤ）、二乗差の和（ＳＳＤ）、絶対三乗差の和（ＳＣＤ）、又は絶対べき乗差の和（ＳＰＤ）を計算することを含む、請求項１に記載のシステム。
【請求項４】
前記プロセッサで実行可能なプログラムコードを前記プロセッサが更に実行して、前記システムに、
振動子から前記第２方向に第３の集束超音波パルスを送信させ、この送信が、前記第２方向で前記生体組織内に前記集束超音波パルスを送信してから、当該集束超音波パルスが超音波場の最深位置から前記振動子に戻るまでの間に行われる、請求項１に記載のシステム。
【請求項５】
前記送信された集束超音波パルスは、コード化波形信号を含む、請求項１に記載のシステム。
【請求項６】
前記コード化波形信号は、チャープコード、バーカーコード、ゴーレイコード、又はアダマールコードのうちの一つを含む、請求項５に記載のシステム。
【請求項７】
前記少なくとも一つのせん断波伝播特性の第１セット、第２セット、又は第３セットは、
前記検出したせん断波の一つ以上に対応する伝播速度と、
実数（ｂ）と前記せん断波伝播速度の二乗（ｃ２）の積（ｂｃ２）と、のうちの一つ以上を含み、
前記せん断波伝播速度は、前記生体組織の変位の二次時間導関数と前記生体組織の変位の二次空間導関数の比の平方根に基づいて計算される、請求項１に記載のシステム。
【請求項８】
前記少なくとも一つのせん断波伝播特性の第１セット、第２セット、又は第３セットは、
前記検出したせん断波の一つ以上に対応する伝播速度と、
実数（ｂ）と前記せん断波伝播速度の二乗（ｃ２）の積（ｂｃ２）と、のうちの一つ以上を含み、
前記せん断波伝播速度の二乗は、前記生体組織の変位の二次時間導関数と前記生体組織の変位の二次空間導関数の比に基づいて計算される、請求項１に記載のシステム。
【請求項９】
前記せん断波の検出は、前記生体組織の変位を特定することを含み、
前記生体組織の変位の特定は、組織カラードプラ速度の時間積分を計算することを含む、請求項１に記載のシステム。
【請求項１０】
プロセッサで実行可能なプログラムコードを格納する持続的媒体であって、前記プログラムコードは、
生体組織に第１の超音波パルスを付与して、前記生体組織内で第１方向にせん断波を生成し、
第２方向で前記生体組織内に集束超音波パルスを送信し、
前記集束超音波パルスに反応して生成された、前記生体組織からの第１の一つ以上の超音波信号を受信し、
前記受信した第１の一つ以上の超音波信号に基づいて、前記生体組織内でせん断波を検出し、
前記検出したせん断波に対応する少なくとも一つのせん断波伝播特性の第１セットを特定し、
生体組織に第２の超音波パルスを付与して、前記生体組織内で第３方向にせん断波を生成し、
第４方向で前記生体組織内に第２の集束超音波パルスを送信し、
前記第２の集束超音波パルスに反応して生成された、前記生体組織からの第２の一つ以上の超音波信号を受信し、
前記受信した第２の一つ以上の超音波信号に基づいて、前記生体組織内で前記第２せん断波を検出し、
前記検出した第２せん断波に対応する少なくとも一つのせん断波伝播特性の第２セットを特定し、
前記第１セット及び第２セットの少なくとも一つのせん断波伝播特性に基づいて、少なくとも一つのせん断波伝播特定の第３セットを特定し、
前記少なくとも一つのせん断波伝播特性の第３セットを表示すること、を行うようにデバイスによって実行され得る、媒体。
【請求項１１】
前記せん断波の検出は、一つ以上の時間位置において受信した前記超音波信号の間の相関、絶対差の和（ＳＡＤ）、二乗差の和（ＳＳＤ）、絶対三乗差の和（ＳＣＤ）、又は絶対べき乗差の和（ＳＰＤ）を計算することを含む、請求項１０に記載の媒体。
【請求項１２】
前記少なくとも一つの伝播特性の第１セット又は第２セットの特定は、一つ以上のインスタンスにおいて検出した前記せん断波の間の相関、絶対差の和（ＳＡＤ）、二乗差の和（ＳＳＤ）、絶対三乗差の和（ＳＣＤ）、又は絶対べき乗差の和（ＳＰＤ）を算出することを含む、請求項１０に記載の媒体。
【請求項１３】
振動子から前記第２方向に第３の集束超音波パルスを送信することを更に含み、この送信は、前記第２方向で前記生体組織内に前記集束超音波パルスを送信してから、当該集束超音波パルスが超音波の音場（フィールド）の最深位置から前記振動子に戻るまでの間に行われる、請求項１０に記載の媒体。
【請求項１４】
前記送信された集束超音波パルスは、コード化波形信号を含む、請求項１０に記載の媒体。
【請求項１５】
生体組織に第１の超音波パルスを付与して、前記生体組織内で第１方向にせん断波を生成し、
第２方向で前記生体組織内に集束超音波パルスを送信し、
前記集束超音波パルスに反応して生成された、前記生体組織からの第１の一つ以上の超音波信号を受信し、
前記受信した第１の一つ以上の超音波信号に基づいて、前記生体組織内でせん断波を検出し、
前記検出したせん断波に対応する少なくとも一つのせん断波伝播特性の第１セットを特定し、
生体組織に第２の超音波パルスを付与して、前記生体組織内で第３方向に第２せん断波を生成し、
第４方向で前記生体組織内に第２の集束超音波パルスを送信し、
前記第２の集束超音波パルスに反応して生成された、前記生体組織からの第２の一つ以上の超音波信号を受信し、
受信した第２の一つ以上の超音波信号に基づいて、前記生体組織内で第２せん断波を検出し、
前記検出した第２せん断波に対応する少なくとも一つのせん断波伝播特性の第２セットを特定し、
前記第１セット及び第２セットの少なくとも一つのせん断波伝播特性に基づいて、少なくとも一つのせん断波伝播特性の第３セットを特定し、
前記少なくとも一つのせん断波伝播特性の第３セットを表示する、方法。